(57)【要約】  本発明は、符号化マスクを有するガンマカメラに関するデコードアーチファクトの発生を制限するデバイスに関するものであって、前記デバイスは、符号化マスク（１）に対向し、かつ符号化マスク（１）によって部分的に符号化される領域（２０）を見通す視野を有するガンマ線検出器（３）を備える。前記デバイスは、ガンマ線を透過せず、かつ符号化マスク（１）を基準にして検出器（３）の反対側に配置される凹型部品（３０）を備え、前記凹型部品（３０）は検出器（３）の視野の部分符号化領域を覆い隠す。
2008537137.tif 000002
【特許請求の範囲】
【請求項１】
符号化マスク（１）を有するガンマカメラに関するデコードアーチファクトの発生を制限するデバイスであって、前記デバイスは、符号化マスクに対向し、かつ符号化マスクによって部分的に符号化される領域（２０）を見通す視野を有するガンマ線検出器（３）を備え、前記デバイスは、ガンマ線を透過せず、かつ符号化マスク（１）を基準にして検出器（３）の反対側に配置される凹型部品（３０）を備え、前記凹型部品（３０）は検出器（３）の視野の部分符号化領域（２０）を覆い隠し、かつ凹型部品の長さに渡って変化する厚さを有するので、ガンマ光子は、ガンマ光子が視野の部分符号化領域（２０）と検出器（３）との間のどの経路を取るかどうかに関係なく、材料の同じ厚さの部分によって阻止されることを特徴とする、デバイス。
【請求項２】
凹型部品（３０）が、ほぼ円筒形、円錐台状、ピラミッド形、または多面体状の内壁を有することを特徴とする、請求項１に記載のデバイス。
【請求項３】
凹型部品（３０）が、符号化マスク（１）と境界を接することを特徴とする、請求項２に記載のデバイス。
【請求項４】
凹型部品（３０）が、７ｇ／ｃｍ３を超える密度の金属により作製されることを特徴とする、請求項１〜３のいずれかに記載のデバイス。
【請求項５】
凹型部品（３０）が、ステンレス鋼、鉛または鉛系合金、タングステン、ＤＥＮＡＬのようなタングステン系合金、あるいは銅または銅系合金により作製することができることを特徴とする、請求項４に記載のデバイス。
【請求項６】
凹型部品（３０）は、符号化マスク（１）の支持部品（５３）にネジ込むことにより取り付けられるネジ切り端部（３０ａ）を有することを特徴とする、請求項１〜５のいずれかに記載のデバイス。
【請求項７】
符号化マスクを有するガンマカメラが或る領域（１０）を見通す視野を有し、領域（１０）の全体が符号化マスク（１）によって符号化され、外郭（１０．１）によって制限され、かつ部分符号化領域（２０）に隣接する場合に、凹型部品（３０）は、凹型部品を全体符号化領域（１０）の外郭（１０．１）が自由端部（３０ｂ）を通過するようにカメラに取り付けると、検出器（３）の反対側に自由端部（３０ｂ）を有するようになることを特徴とする、請求項１〜６のいずれかに記載のデバイス。
【請求項８】
符号化マスクを有するガンマカメラが或る領域（１０）を見通す視野を有し、領域（１０）の全体が符号化マスク（１）によって符号化され、外郭（１０．１）によって制限され、かつ部分符号化領域（２０）に隣接する場合に、凹型部品（３０）は、全体符号化領域（１０）の外郭（１０．１）に接する壁を有することを特徴とする、請求項１〜７のいずれかに記載のデバイス。
【請求項９】
凹型部品（３０）は、凹型部品をカメラに取り付けるときに、検出器（３）の反対側にほぼ円形の自由端部（３０ｂ）を有することを特徴とする、請求項１〜８のいずれかに記載のデバイス。
【請求項１０】
円形端部は、検出器（３）の中心部を中心とする半径（Ｒ）に対応することを特徴とする、請求項９に記載のデバイス。
【請求項１１】
ガンマカメラであって、前記ガンマカメラは、請求項１〜１０のいずれかに記載のデコードアーチファクトの発生を制限するデバイス（３０）を備えることを特徴とする、ガンマカメラ。
【発明の詳細な説明】
【発明の開示】
【０００１】
技術分野
本発明は、符号化マスクを有するガンマカメラの使用に固有のデコードアーチファクトの発生を制限するデバイスに関する。本発明は、ガンマ線源の位置特定に適用される。
【０００２】
背景技術
ガンマカメラは、ガンマ線源を遠く離れた位置から検出し、そして観測することを可能にする装置である。ガンマカメラはガンマ線源の画像を生成し、この画像を観測対象シーンの可視画像に重ね合わせ、これにより放射能濃度領域の空間位置を特定し、そして特徴付けることが可能になる。これらのガンマカメラは、この技術分野において用いられてきたツールであり、そして放射線環境におけるメンテナンス作業、解体作業、または検査作業のような介入検査に対する準備に特に適する。
これらのガンマカメラは研究機関及び企業の両方に適用することができる。
【０００３】
ガンマカメラの動作原理の内の一つは良く知られている。すなわち、シンチレータが集光光学系を通して、ガンマ線源から放出されるガンマ光子を受信する。シンチレータはこの放射線を光信号に変換し、光信号が今度は光電陰極によって電気信号に変換される。このようにして形成される電気信号はイメージ増強管によって増幅され、そして電荷結合素子（ＣＣＤ）によって検出される。シンチレータ、光電陰極、イメージ増強管、及び電荷結合素子から成るアセンブリが一般に、ガンマカメラの検出器を形成する。以下の記述では、検出器を参照する場合、このアセンブリを参照するのであり、電荷結合素子だけを参照するのではない。電荷結合素子は所定数のピクセルを含む。検出器は検出信号を処理する手段と協調動作する。検出器が生成する信号を処理した後、線源の位置を、線源が放出し、そして集光光学系、検出器アセンブリを通過した放射線によって、更に観測対象シーンの可視光画像によって特定することができる。このようなガンマカメラは比較的感度が高く、かつ高性能である。
【０００４】
ガンマカメラのほとんどは、ガンマ光子を収集する光学系として、コリメータを、頂点またはピンポイントホールの反対側の２つの円錐領域の形態で使用する。
【０００５】
このタイプのコリメータによって観測場と分解能との間で適正な条件が設定される。しかしながら、コリメータの形状に起因して、コリメータはガンマ線を非常に透過し難く、これにより感度を低下させることがある。更に詳細には、検出限界を下げることと獲得時間を短縮することを同時にバランス良く達成することができない。
【０００６】
これらの不具合を補正し、そしてカメラのダイナミックレンジを大きくするための可能な変更の一つは、符号化マスクを、２つの円錐領域が生じる形態のコリメータの位置に使用することにより行なわれる。これらのコリメータとは、複数の透明要素及び複数の不透明要素を含むコリメータであり、これによりガンマ線に直接曝されるシンチレータの表面を非常に大きくすることができる。検出器が受信する信号は符号化マスクによって変調される。これらの透明及び不透明要素は特定の構造に従って配置する必要がある。これらのコリメータは観測対象シーンの直接画像を生成するのではなく、観測対象シーンの「符号化」画像を生成し、次に、この符号化画像に数学的処理を施して実際に近い画像を再構成する必要がある。
【０００７】
符号化マスクを有するガンマカメラは、「コンパクトガンマカメラを用いる符号化開口結像法の開発」と題する記事（Ｍ．  Ｇｍａｒ，  Ｏ．  Ｇａｌ，  Ｃ．  Ｌｅ  Ｇｏａｌｌｅｒ，  Ｏ．Ｐ．  Ｉｖａｎｏｖ，  Ｖ．Ｎ．  Ｐｏｔａｐｏｖ，  Ｖ．Ｅ．  Ｓｔｅｐａｎｏｖ，  Ｆ．Ｌａｉｎｅ，  Ｆ．  Ｌａｍａｄｉｅ，  ＩＥＥＥ  Ｔｒａｎｓａｃｔｉｏｎｓ  ｏｎ  Ｎｕｃｌｅａｒ  Ｓｃｉｅｎｃｅ，  ２００４年８月，  ５１巻，  １６８２〜１６８７ページ）に記載されている。
【０００８】
使用するマスクはＵＲＡ（Ｕｎｉｆｏｒｍｌｙ  Ｒｅｄｕｎｄａｎｔ  Ａｒｒａｙ：均一冗長アレイ）マスクにより構成することができ、このマスクは、平方剰余のテーブルを利用し、この場合、２つの寸法は２だけ異なる２つの素数である。ＨＵＲＡ（Ｈｅｘａｇｏｎａｌ  ＵＲＡ：六角形ＵＲＡ）またはＭＵＲＡ（Ｍｏｄｉｆｉｅｄ  ＵＲＡ：変形ＵＲＡ）のようなＵＲＡの派生物も利点をもたらす。ＵＲＡ符号化マスクの理論はＥ．Ｅ．  Ｆｅｎｉｍｏｒｅ及びＴ．Ｍ．  Ｃａｎｎｏｎによって１９７２年に定義されている。これらのマスクは図１Ａのように、拡張マスクとして使用することができ、この場合、検出器はマスクよりも小さい。マスクは周期的に繰り返され、かつ部分的に多数回繰り返すことができる基本パターンを含む。図１Ｂに示す第２の使用可能な構成では、マスクは検出器よりも小さい。この構成は、大型の嵩張る検出器を使用する必要があるので利点が得られず、この検出器は小型のガンマカメラによる撮像には適用することができない。これらの図では、参照番号１は符号化マスクを指し、参照番号２はシンチレータを指し、そして参照番号３は検出器を指す。
【０００９】
この符号化技術は、位置に関する問題が、繰り返しパターンを持つ符号化マスクの所定の構成に発生し得るという不具合を有する。実際、カメラの視野、または検出器の視野に２つの異なる領域、すなわち図２Ａ、２Ｂの参照番号１０で示される全体符号化領域、及び図２Ａ、２Ｂの参照番号２０で示される部分符号化領域が存在する。これらの領域は以後、全体符号化領域及び部分符号化領域と表記する。
【００１０】
図２Ａ及び２Ｂは、符号化マスク１を備えるカメラを部分的に示している。検出器３は符号化マスク１に対向して配置される。
全体符号化領域１０は、検出器３に対向する符号化マスク１のエッジ、及び符号化マスク１に対向する検出器３のエッジに接触する表面によって画定される容積に対応する。これらの表面は全体符号化領域１０の包絡面１０．１を形成する。
部分符号化領域２０は、検出器３に対向する符号化マスク１のエッジ、及び符号化マスク１に対向する検出器３のエッジに接触する表面によって画定される容積と、全体符号化領域１０の包絡面１０．１との間に含まれる容積に対応する。
【００１１】
ガンマ線源１１が検出器３の視野の全体符号化領域１０に位置する場合、検出器３の各ピクセルは、符号化マスク１を通過してきた信号を受信する。この信号は一つの方法によってのみ復号化することができ、これによって、シーンを実際に近い形で再構成することができる。この構成は図２Ａに示される。
【００１２】
これとは異なり、図２Ｂに示すように、ガンマ線源２１が検出器３の視野の部分符号化領域２０に位置する場合、符号化マスク１による変調は不完全になる。同じ信号に関して、多数の再構成が可能であり、そしてデコードアーチファクト２２が復号化の際に現われる。これらのアーチファクト２２は基本的に、実際の線源から区別することができない。これらのアーチファクトによって、符号化マスクの使用が難しくなる、というのは、これらのアーチファクトによって偽のガンマ線源が現われるからである。
現時点では、これらのデコードアーチファクトを適正に小さくする適切な解決法は数学的にも存在しない。
【００１３】
課題を解決するための手段
本発明は実際には、符号化マスクを有するガンマカメラに関するデコードアーチファクトの発生を制限するデバイスを提案するために為されたものであり、このデバイスは作製するのが簡単であり、かつデコードアーチファクトを除去するために複雑な数学的処理演算の使用を必要としない。このデバイスによって、ガンマカメラの部分符号化領域に位置し、かつデコードアーチファクトの発生源に位置する放射線源による有害な影響を小さくすることができる。
【００１４】
更に詳細には、本発明は、符号化マスクを有するガンマカメラに関するデコードアーチファクトの発生を制限するデバイスであり、当該デバイスは、符号化マスクに対向し、かつ符号化マスクによって部分的に符号化される領域を見通す視野を有するガンマ線検出器を備える。本発明によれば、デバイスは、ガンマ線を透過せず、かつ符号化マスクを基準にして検出器の反対側に配置される凹型部品を備え、凹型部品は検出器の視野の部分符号化領域を覆い隠す。
【００１５】
凹型部品は符号化マスクと境界を接する。
凹型部品はほぼ円筒形、円錐台状、ピラミッド形を有することができる、または多面体状の内壁も有することができる。
凹型部品は、７ｇ／ｃｍ３を超える密度の金属により作製することができる。
更に詳細には、凹型部品は、ステンレス鋼、鉛または鉛系合金、銅または銅系合金、タングステン、またはＣＩＭＥ  ＢＯＣＵＺＥ社の商標であるＤＥＮＡＬという呼称で知られているようなタングステン系合金により作製することができる。
凹型部品は、その全長に渡ってほぼ一定の厚さを有することができる。
【００１６】
別の構成として、凹型部品は、その長さに渡って変化する厚さを有することができるので、ガンマ光子は、ガンマ光子が視野の部分符号化領域と検出器との間のどの経路を取るかどうかに関係なく、材料の同じ厚さの部分によって阻止される。
凹型部品には、符号化マスクの支持部品にネジ込むことにより取り付けられるネジ切り部を設けることができる。
ガンマカメラは或る領域を見通す視野を有し、この領域は、符号化マスクによって全体が符号化され、包絡面によって制限され、かつ部分符号化領域に隣接する；凹型部品はカメラに取り付けられた時に、検出器の反対側に自由端部を有することができ、これにより全体符号化領域の包絡面が自由端部を通過する。
【００１７】
凹型部品は、全体符号化領域の外郭に接する内壁を有することができる。
凹型部品は符号化マスクの反対側にほぼ円形の端部を有することができる。
円形の端部は、検出器の中心部を中心とする半径に対応することができる。
本発明は、デコードアーチファクトの発生を制限するこのようなデバイスを備えるガンマカメラにも関する。
【００１８】
以下に説明する種々の図における同じ、類似の、または等価な部品には同じ参照記号を付して、これらの部品が複数の図において同じ番号で指示されるようにしている。
これらの図に示す種々の部品は、図を更に分かり易くするために、必ずしも同じ尺度で描かれている訳ではない。
【実施例】
【００１９】
次に、我々は図３Ａ及び３Ｂについて説明することとし、これらの図は、符号化マスクを有するガンマカメラに関するデコードアーチファクトの発生を制限するデバイスを図式的に、かつ部分的に示している。
ガンマカメラが、符号化マスク１に対向して配置される検出器３を備える様子を図式的に示している。全体符号化領域１０（実線で示される）及び部分符号化領域２０（点線で示される）も示す。第１線源１１が全体符号化領域１０の内部に示されている。検出器３及び符号化マスク１によって形成されるアセンブリに対するその位置によって、線源１１を高精度に検出することができる。第２線源２１は部分符号化領域２０の内部に配置される。
【００２０】
ガンマカメラには、デコードアーチファクトの発生を制限するデバイス３０を設けるが、このデバイスは、第１線源１１から放出される放射線に影響を全く及ぼすことなく、第２線源２１を検出器３が観測することができないように機能する。更に詳細には、デコードアーチファクトの発生を制限するこのデバイス３０は、部分符号化領域２０全体を検出器３が観測することができないように機能する。デバイスは符号化マスク１と協調動作し、そして検出器３とは、符号化マスク１を基準にして反対側に配置される。デコードアーチファクトの発生を制限するこのデバイス３０は、ガンマ線源から放射される放射線を透過しない。
【００２１】
当該デバイスは、符号化マスク１と境界を接する凹型部品３０の形状を有する。図３Ａでは、この凹型部品３０はチューブ状、詳細には円筒状回転体チューブであるが、技術的効果を最適化するために他の形状を使用することができる。当該デバイスの内壁は特に、図３Ｂに示すように円錐台とすることができ、またはピラミッド状、或いは多面体状とすることもできる。これらの形状は、図を簡単にするために明確には示されないが、図３Ａは多面体形状を明瞭に示し、図３Ｂはピラミッド形状を明瞭に示している。
【００２２】
この凹型部品３０は符号化マスク３と一体化される端部３０ａ、及び自由端部３０ｂを有する。図３Ａに示す例では、全体符号化領域１０の包絡面は、凹型部品３０の自由端部３０ｂを通過する。この制約により、凹型部品３０の外部長さ、及び幅を求め易くなる。凹型部品の材料の厚さは、凹型部品の全長に渡ってほぼ一定である。
【００２３】
図３Ｂの例では、凹型部品３０の内壁は全体符号化領域の包絡面１０に接する。凹型部品の材料の厚さは、凹型部品の全長に渡って一定ではない。この厚さは、ガンマ光子が視野の部分符号化領域２０と検出器３との間のどの経路を取るかどうかに関係なく、ガンマ光子が材料の同じ厚さの部分によって阻止されるように決定される。
図３Ｂの構成では、凹型部品３０は、符号化マスク１の反対側に自由端部３０ｂを有し、自由端部はほぼ円形になっている。円形自由端部は、検出器３の中心部を中心とする半径Ｒを有する。
【００２４】
この凹型部品３０は金属材料により作製され、金属材料は少なくとも７ｇ／ｃｍ３の比較的高い密度を有する。金属材料は約７．８６ｇ／ｃｍ３の密度のステンレス鋼、または鉛または鉛系合金、或いは銅または銅系合金とすることができる。有利なことに、金属材料はタングステン（約１８．３ｇ／ｃｍ３の密度）、またはＤＥＮＡＬの呼称で知られているようなタングステン系合金とすることができる。このタングステン系合金または銅系合金の密度は約１８．５ｇ／ｃｍ３であり、この密度によって、ガンマ光子を非常に効果的に減衰させることができる。ＤＥＮＡＬは、例えば１００ｋｅＶよりも高いエネルギーを持つ高エネルギーガンマ光子が存在する状態で使用されることが好ましく、そして上に挙げた銅または他の材料は、それよりも低いエネルギーを持つガンマ光子が存在する状態で使用されることが好ましい。ＤＥＮＡＬの別の有利な特性は、この材料を従来の治具を使用して加工し易いことであり、これにより当該材料を延性の高いリードに好適に加工することができる。
【００２５】
図４Ａ及び４Ｂは、図３Ａの構成の本発明によるガンマカメラの一例を分解図及び部分断面図で示している。
図５Ａ及び５Ｂは、図３Ｂの構成の本発明によるガンマカメラの一例を分解図及び部分断面図で示している。
【００２６】
参照番号５０はガンマカメラのボディを示す。このほぼ回転円筒形のボディ５０には検出器３が収容され、検出器は図４Ｂ及び５Ｂのみに示される。図４Ａ及び図５Ａでは、ボディ５０の両端部の内の一方の端部は、電源線（図示せず）の通路を含むベース５１で蓋をする。符号化マスク１は、ボディ５０の他方の端部と、互いに嵌め合うように構成される複数のリング５２，５３，５４によって一体化される。一方が他方に部分的に嵌め込まれる構成の２つの外側リング５２，５４、及び参照番号５３で示される内側リングを図から判別することができる。実際、デコードアーチファクトの発生を制限するデバイス３０に接続される符号化マスク１は、必要に応じて変更することができる、取り外し可能な部材を構成する。デコードアーチファクトの発生を制限するデバイス３０を評価するために行なわれる検査では、異なるパターン及び厚さを持つ３つの符号化マスク１を使用している。これらの符号化マスクを図６Ａ〜６Ｃに示す。
【００２７】
外側リング５２の内の一方のリングによって符号化マスク１をカメラのボディ５０に取り付けることができる。符号化マスク１は内側リング５３に嵌め込まれ、内側リングは２つの外側リングに、一方のリングが他方のリングの内側になるように組み立てられるときに収容される。一つ以上のフィンガを設けて符号化マスク１を内側リング５４に固く取り付けることができる。次に、デコードアーチファクトの発生を制限するデバイスを内側リング５３の内部に取り付ける。他方の外側リング５４は、第１外側リング５２に対して回転移動し、従って、符号化マスク１及びデコードアーチファクトの発生を制限するデバイス３０を有する内側リング５３を回転させることができる。このようにして、符号化マスク１は、複数の所定位置、例えば６０°だけずれた２つの位置を採ることができ、これによって、同じ符号化マスクを使用して、同じシーンの２つの非対称符号化画像を生成することが可能になり、これにより、処理演算において、信号対雑音比を改善することができる。
【００２８】
デコードアーチファクトの発生を制限するデバイス３０は、凹型回転シリンダ部品または、凹型円錐台部品によって作製され、この部品は、内側リング５３にネジ込まれるネジ切り端部３０．１と、そして観測対象シーンの側に位置する自由端と、を有する。
【００２９】
このような凹型部品の複数のプロトタイプを検査した。これらのプロトタイプは、７０ｍｍまたは１２５ｍｍの長さ、４８．１ｍｍ未満の内径、及び内径よりも大きい１０８．１ｍｍの外径を有する回転円筒体である。これらのプロトタイプはステンレス鋼により作製される。図４Ａ及び４Ｂに示すのは、デコードアーチファクトの発生を制限する短い（７０ｍｍ）デバイス３０である。
【００３０】
検出器３は５０ｍｍの直径を有する。符号化マスクの裏面及び検出器３の裏面を分離する距離ｄは４５．４ｍｍである。符号化マスク１の裏面及び検出器３の裏面は、カメラボディのベースの側に位置し、この場合、符号化マスク及び検出器の前面は観測対象シーンの側に位置する。
【００３１】
複数の符号化マスク１を検査した。ＨＵＲＡタイプの符号化マスクが図６Ａ〜６Ｃに示す。図６Ａのマスクはランク９、及び４ｍｍの厚さを有し、これもランク９を有する図６Ｂのマスクは６ｍｍの厚さを有する。図６Ｃのマスクはランク６のマスクである。ここで、符号化マスクのランクはマスクの基本パターン、及び六角形とすることができる要素（中空部及び充填部）の寸法を固有に定義する番号である。例えば、ランクＲのマスクはその基本中心パターンに、Ｋ＝３Ｒ（Ｒ＋１）＋１とする場合のＫ個の要素を有する。これらのマスクの全体パターンは平坦な４５ｍｍ六角形である。これらの符号化マスクの特徴を次の表に示す。
【００３２】
2008537137.tif 000003
【００３３】
検出器３の裏面をデコードアーチファクト減衰手段の自由端から分離する距離Ｌは、４ｍｍの厚さを有する符号化マスクの場合に１７４．４ｍｍであり、６ｍｍの厚さを有する符号化マスクの場合に１７６．４ｍｍであり、そして１２ｍｍの厚さを有する符号化マスクの場合に１８２．４ｍｍである。
【００３４】
デコードアーチファクトの発生を制限するデバイスのこれらのプロトタイプにおいては、全体符号化領域に配置される線源を、第１線源よりも高い線量を出す余分の線源を部分符号化領域に配置した状態で、観測することができる。図７Ａ及び７Ｂを参照することができ、これらの図は、セシウム１３７線源が余分に配置された状態のコバルト６０線源を示すシーンの図を示している。この構成では、セシウム１３７線源によってガンマカメラのレベルで生成される線量率は、コバルト６０線源によって生成される線量率の３倍の大きさである。図７Ａは、本発明によるデコードアーチファクトの発生を制限するデバイスを備えるガンマカメラを使用して撮影した図であり、そして図７Ｂは、本発明によるデバイスを搭載しない符号化マスクを備えるガンマカメラを使用して撮影した図である。図７Ａでは、余分に配置された線源は観測されず、図７Ｂでは、当該線源が観測され、そして当該線源によって観測対象シーンの間違った図が表示される。
【００３５】
本発明の複数の実施形態を示し、そして詳細に説明してきたが、種々の変更及び変形を、本発明の技術範囲を逸脱しない範囲において加え得ることを理解されたい。本発明は、説明した符号化マスクに制限されない。そうではなく、本発明は、デコードアーチファクトを生成し得る全てのタイプの符号化マスクを包含する。同様に、デコードアーチファクト減衰手段は、説明したデコードアーチファクト減衰手段に制限されない。詳細には、他の材料だけでなく他の形状を使用することができる。
【図面の簡単な説明】
【００３６】
本発明は、純粋に例示のためにのみ提示され、かつ決して本発明を制限するものではない例示としての実施形態についての記述を、添付の図を参照しながら一読することにより一層深く理解することができる。
【図１】図Ａ及びＢは、符号化マスクを有するガンマカメラの２つの例を図式的に示す。
【図２】図Ａ及びＢは、ガンマカメラを模式的に示し、そして符号化マスクによって全体が符号化される領域、及び部分的に符号化される領域、及び観測対象のガンマ線源の位置によるデコードアーチファクトの発生を図式的に示す。
【図３】図Ａ及びＢは、本発明による符号化マスクを有するガンマカメラに関するデコードアーチファクトの発生を制限するデバイスの２つの実施形態を示す。
【図４】図Ａ及びＢは、本発明によるデバイスを備えるガンマカメラを分解図及び断面図で示す。
【図５】図Ａ及びＢはそれぞれ、本発明によるデバイスの別の例を備えるガンマカメラを分解図及び断面図で示す。
【図６】図Ａ〜Ｃは、図４Ａ、４Ｂ、５Ａ、及び５Ｂのガンマカメラに使用される符号化マスクの３つの例の正面図を示す。
【図７】図Ａ及びＢはそれぞれ、線量率が３倍の大きさの線源による影響を受ける放射線源を、本発明によるガンマカメラで撮影した画像、及び先行技術によるガンマカメラで撮影した画像を示す。
【図１Ａ】
2008537137.tif 000004
【図１Ｂ】
2008537137.tif 000005
【図２Ａ】
2008537137.tif 000006
【図２Ｂ】
2008537137.tif 000007
【図３Ａ】
2008537137.tif 000008
【図３Ｂ】
2008537137.tif 000009
【図４Ａ】
2008537137.tif 000010
【図４Ｂ】
2008537137.tif 000011
【図５Ａ】
2008537137.tif 000012
【図５Ｂ】
2008537137.tif 000013
【図６Ａ】
2008537137.tif 000014
【図６Ｂ】
2008537137.tif 000015
【図６Ｃ】
2008537137.tif 000016
【図７Ａ】
2008537137.tif 000017
【図７Ｂ】
2008537137.tif 000018
【国際調査報告】
2008537137.tif 000019
2008537137.tif 000020
2008537137.tif 000021
2008537137.tif 000022
2008537137.tif 000023
2008537137.tif 000024